(57)【要約】紙やすりのような交換可能なシート様研磨材と共に用いられる手持ち式手動操作型の研磨工具は、基板部材、及び基板部材の対向する末端部と枢動可能に連結されるクランプ機構を備える。クランプ機構は、クランプ機構に対向する基板部材の末端部に設けられる角度の着いた接触表面と摺動可能に係合するように配置されるテンション部材を備え、従って、工具に取り付けられる際にシート様研磨材を張る。
2008539095.tif 000002
【特許請求の範囲】
【請求項１】
交換可能なシート様研磨材を用いて使用される手持ち式手動操作型の研磨工具であって、
（ａ）対向する第１及び第２末端部並びに前記第１末端部と第２末端部との間に伸長する一般的には平らな底面、及び付随する隣接末端部に対して前記底面と鋭角を形成するように配置される前記第１及び第２末端部の１つと隣接する底面と対向する少なくとも１つの傾斜上部接触面を有する基板部材と、
（ｂ）前記基板部材と枢動可能に連結されるクランプ機構であって、基板部材の接触表面から間隔が空いており、それによって基板部材の上部接触表面とクランプ機構との間に研磨材シートの末端部を受け入れる空隙が形成される開放位置と、前記クランプ機構が前記接触面に向かって動き、基板部材の接触面に隣接して配置される閉鎖位置との間を移動可能であるクランプ機構にして、接触面と摺動可能に係合するように配置されるテンション部材を備えたクランプ機構とを備え、
研磨材シートの末端部が前記基板部材と前記クランプ機構との間の空隙に挿入される際、及び前記クランプ機構が開放位置から閉鎖位置に動く際、前記テンション部材が研磨材シートに嵌合し、前記クランプ機構をさらに接触面に向かって動かすと、前記テンション部材及び研磨シートが付随する末端部から離れて傾斜接触面に沿って上方に移動し、それによって前記基板部材の底表面に対する前記研磨シートの密着を強める研磨工具。
【請求項２】
前記テンション部材が可撓性金属リーフスプリングを含む、請求項１に記載の研磨工具。
【請求項３】
前記テンション部材が前記クランプ機構の幅を伸長する、請求項２に記載の研磨工具。
【請求項４】
前記傾斜上部接触面が複数の間隔の空いたリブによって画定される、請求項１に記載の研磨工具。
【請求項５】
前記テンション部材が前記テンション部材と前記研磨材シートとの間の摩擦力を高めるつかみ面を備える、請求項１に記載の研磨工具。
【請求項６】
前記つかみ面が複数の突起を含む、請求項５に記載の研磨工具。
【請求項７】
前記つかみ面は、滑らかで柔軟性のある面を含む、請求項６に記載の研磨工具。
【請求項８】
前記基板部材の第１及び第２末端部の双方に枢動可能に連結されるクランプ機構を含む、請求項１に記載の研磨工具。
【請求項９】
前記閉鎖位置においてクランプ機構を維持する保持手段をさらに含む、請求項１に記載の研磨工具。
【請求項１０】
前記クランプ機構は前記基板部材に回転可能に連結される第１末端部分を備え、前記第１末端部分は保持突起を備える肩部を備え、前記基板は前記保持突起と協動するように配置される停止部分を備え、これにより、前記クランプ機構が前記開放位置と前記閉鎖位置との間で強制的に移動せしめられることを可能とし、それによって、保持突起が載置される停止部分の側面に応じて開放位置又は閉鎖位置のいずれかにクランプ機構を維持する、請求項１に記載の研磨工具。
【請求項１１】
前記付属部材が、一時的なスナップ式の付属品を容易に使用できるようにし、前記クランプ機構が前記基板部材から分離することを防ぐように角度を付けて切り取られた溝を有する、請求項１に記載の研磨工具。
【請求項１２】
前記基板部材が、整列した穴を有する間隔を空けて隆起する一組の支持部材を備え、前記クランプ機構は前記支持部材の整列した穴とスナップ式の嵌めあわせ関係をとるように構成された突出部を備え、それによって、クランプ機構を基板部材にスナップで取り付けることによって、工具を手動で組み立てることを可能とする、請求項１に記載の研磨工具。
【請求項１３】
前記基板部材及び前記クランプ機構が合成プラスチック材料から形成される、請求項１に記載の研磨工具。
【請求項１４】
前記基板部材と前記クランプ機構との間の連結はリビングヒンジであり、前記工具は単一構造を有する、請求項１３に記載の研磨工具。
【請求項１５】
前記研磨工具が、前記基板部材の中央領域から上方に伸長する首部を有するハンドルと、前記首部の末端部に位置する頭部とを備える、請求項１に記載の研磨工具。
【請求項１６】
前記頭部の断面積が前記首部の断面積より大きく、それによって前記首部が、ユーザーが手で握ることが可能である取っ手を形成する、請求項１５に記載の研磨工具。
【請求項１７】
前記頭部が、第１の比較的硬質な材料から形成される内側領域、及び第２の比較的軟質な材料から形成される周辺領域を含み、前記第２の材料は前記第１の材料よりも柔らかく、ユーザーにより心地良いつかみ面を提供する、請求項１５に記載の研磨工具。
【請求項１８】
前記基板部材が、前記頭部の下且つ前記基板部材の上の領域において、ユーザーの指のために付加された空間を提供する凹部上面を有する、請求項１に記載の研磨工具。
【発明の詳細な説明】
【技術分野】
【０００１】
本発明は、一般的に、紙やすりのような研磨材シートを使用する、手持ち式手動操作型の研磨工具に関する。
【背景技術】
【０００２】
従来の紙やすりのような研磨シートは、木材表面のような加工表面の手研磨又は仕上げに一般的に使用される。手研磨において、ユーザーは直接手で紙やすりを保持し、加工面にわたって紙やすりを移動する。手による研磨、又はその過程は、困難な作業であり得る。手研磨工程を容易にするために、紙やすりが研磨ブロック上に載置されても良い。研磨ブロックが、紙やすりを保持し、ユーザーに容易に握られ、手研磨をより早く、かつ簡単なものとする。商業的に入手可能な研磨ブロックは、ミネソタ州セントポール（St. Paul）の３Ｍ（商標）社から入手可能なラバー研磨ブロック（Rubber Sanding Block）である。
【０００３】
研磨ブロックは、特許された先行技術において既知である。例えば、米国特許第５，１６８，６７２号は、対向する一組の両端部にクランプ肩部が形成されている基板を有する研磨シートホルダーが開示されている。ハンドル部材が、この基板の裏面上に取り外し可能に固定される。ハンドル部材は、クランプ肩部上に広がる研磨紙シートの末端部と共に基板の加工表面前部上に配置される研磨紙シートの対向する末端部分を締め付けるために、対向する可撓性フランジ壁を有する。
【０００４】
米国特許出願公開第２００３／０１０４７７７号には、複数のカーブの付いた一般的には凸型の握りが固定され、一般的には矩形の基板ハウジングを含む研磨ブロックが開示されている。握りはさらに、ユーザーが容易且つ確実に握ることを補助する内側に伸長する凹部を形成する。オーバーセンターレバークランプ機構は、研磨ブロックの各末端部において稼動可能であり、取り外し可能な付属物において紙やすりシートの対向する末端部を固定する。
【０００５】
既知の研磨ブロックには、１つ以上の欠点又は短所がある。例えば、研磨媒体を伸長することは、研磨ブロックの望ましい特徴である。しかしながら、既知の研磨ブロックにおいては、研磨媒体を取り付けて引き伸ばすのが困難なことが多い。媒体がピンと張っていない場合、皺が寄る可能性があり、皺が加工面の障害となって研磨媒体が破れる原因となることもある。加えて、研磨媒体の皺は加工面の損傷又は不均一な研磨の原因となり得る。
【特許文献１】米国特許第５，１６８，６７２
【特許文献２】米国特許出願公開第２００３／０１０４７７７号
【特許文献３】米国特許第６，６１３，１１３号
【発明の開示】
【発明が解決しようとする課題】
【０００６】
既知の研磨ブロックも、研磨シートの両端部を研磨ブロックに同時に設置する必要があり、これをこなるにはかなり器用である必要がある。既知の研磨ブロックはまた、製造が難しく、及び／又は製造コストが高くなる。他の研磨ブロックは、工具に設置される際に研磨シートに損傷を与えるか、又は研磨シートの全研磨領域を最適に使用できない可能性がある。従って、製造が容易で高価でなく、研磨シートを引き伸ばし、研磨シートを確実に保持し、快適に使用でき、使い古しの研磨シートを迅速且つ容易に交換することを可能とする研磨ブロックが必要である。
【０００７】
従来の紙やすりのような可撓性平面研磨シート、並びに、例えば米国特許第６，６１３，１１３号（ミニック（Minick）他）に記載されるシート様研磨材のような従来の紙やすりより厚い弾力可撓性研磨シートを確実に保持し、引き伸ばすことができる、手持ち式手動操作型の研磨工具を提供するのが好ましい。加えて、容易且つコスト効率良く製造が可能で、快適に使用でき、使い古しのシートを迅速且つ容易に交換することを可能とし、シート様研磨材が、不必要にたるんだり、研磨シートを損傷することなく、研磨工具に堅く固定されるのを可能とするような研磨工具を提供するのが望ましい。
【課題を解決するための手段】
【０００８】
本発明は、工具の研磨面に対してきつく保持されるように、研磨媒体を確実に保持するだけでなく、シート様研磨媒体を引き寄せて引っ張る、研磨工具を提供することで当該分野において上記で特定された制限を克服する。工具は、異なるタイプ、幅、及び厚さのシート様研磨媒体に対応することができる。加えて、工具は特別な工具を必要とせず、作動するのが簡単であり、製造及び組み立てが容易になるように設計されている。
【０００９】
本発明は、対向する第１及び第２末端部並びに第１末端部と第２末端部との間に伸長する一般的には平らな底面、及び付随する隣接末端部に対して底面と鋭角を形成するように配置される、第１及び第２末端部の１つと隣接する底面と対向する少なくとも１つの傾斜上部接触面を有する基板部材と、基板部材と枢動可能に連結されるクランプ機構であって、基板部材の接触面から間隔が空いており、それによって基板部材の上部接触表面とクランプ機構との間に研磨材シートの末端部を受け入れる空隙が形成される開放位置と、クランプ機構が接触面に向かって動き、基板部材の接触面に隣接して配置される閉鎖位置との間を移動可能であるクランプ機構にして、交換可能なシート様研磨材を使用する手持ち式研磨工具を提供する。クランプ機構は、接触面と摺動可能に係合するように配置されるテンション部材を備え、研磨材シートの端部が基板部材とクランプ機構との間の空隙に挿入される際、及びクランプ機構が開放位置から閉鎖位置に動く際、テンション部材が研磨材シートに嵌合し、クランプ機構をさらに接触表面に向かって動かすと、テンション部材及び研磨シートが付随する末端部から離れて傾斜接触表面に沿って上方に移動し、それによって基板部材の底部表面に対する研磨シートの密着を強める。本発明の１つの態様において、工具は手動操作型である。本発明の特定の態様によると、シート様研磨材は正方形又は矩形形状である。
【００１０】
本発明の１つの態様において、テンション部材は可撓性金属リーフスプリングを含む。もう１つの態様において、テンション部材は実質的にクランプ機構の全幅を伸長する。さらに他の態様において、傾斜上部接触面は、複数の間隔の空いたリブによって形成される。１つの実施形態において、テンション部材はテンション部材と研磨材シートとの間の摩擦力を高めるつかみ面を備える。つかみ面は、例えば複数の突起を備えるか、又は滑らかで柔軟性のある表面を含むことが可能である。
【００１１】
１つの実施形態において、クランプ機構は基板部材の第１及び第２末端部の双方と枢動可能に連結する。特定の実施形態において、研磨工具は閉鎖位置においてクランプ機構を維持する保持手段を備える。
【００１２】
特定の態様において、クランプ機構は基板部材に回転可能に連結される第１末端部分を備え、第１末端部分は保持突起を備える肩部を備え、基板は前記保持突起と協動するように配置される停止部分を備え、これにより、クランプ機構が開放位置と閉鎖位置との間で強制的に移動せしめられることを可能とし、それによって、保持突起が載置される停止部分の側面に応じて開放位置又は閉鎖位置のいずれかにクランプ機構を維持する。
【００１３】
もう１つの態様において、付属部材は、一時的なスナップ式の付属品を容易に使用できるようにし、前記クランプ機構が基板部材から分離することを防ぐように角度を付けて切り取られた溝を有する。より特定の態様において、基板部材が、整列した穴を有する間隔を空けて隆起する一組の支持部材を備え、クランプ機構は支持部材の整列した穴とスナップ式の嵌めあわせ関係をとるように構成された突出部を備え、それによって、クランプ機構を基板部材にスナップで取り付けることによって、工具を手動で組み立てることを可能とする。
【００１４】
もう１つの実施形態において、研磨工具は前記基板部材の中央領域から上方に伸長する首部を有するハンドル及び首部の末端部に位置する頭部を備える。より特定の実施形態において、頭部の断面積は首部の断面積より大きく、それによって、ユーザーが手で握ることが可能である取っ手を形成する。より特定の態様において、頭部は、第１の比較的硬質な材料から形成される内側領域、及び第２の比較的軟質な材料から形成される周辺領域を含み、第２の材料は第１の材料よりも柔らかく、ユーザーにより心地良いつかみ面を提供する。
【００１５】
もう１つの態様において、基板部材は頭部の下且つ基板部材の上の領域において、ユーザーの指のために付加された空間を提供する凹部上面を有する。
【発明を実施するための最良の形態】
【００１６】
次に、図面を参照すると、いくつかの図、つまり図１〜５を通して同様の参照番号は同様又は類似する部分を表し、可撓性であり、交換可能なシート様研磨材３（図３又は４）を用いて使用する手持ち式手動操作型の研磨工具又は研磨ブロック２を示す。用語「手動操作型」は、工具２が動力工具でない事実を表している。つまり、工具における全動力はユーザーによって提供され、工具自体はモーターを備えない。しかしながら、本発明は動力工具であって良く、手動操作型工具に限定しないことが認められるであろう。
【００１７】
研磨工具２は、基板部材４及び基板部材４の対向する末端部に連結する一対のクランプ機構６、８を備える。研磨工具２は両端部にクランプ機構６、８を備えて示されるが、クランプ機構６、８のうちの１つを、研磨シート様材料３を工具に固定する従来の機構に代えても良いことが認められるだろう。基板部材４は矩形として示されているが、従来の研磨シートを用いて使用するのに役立つ正方形又は他の形状であって良いことも認められるであろう。
【００１８】
基板部材４は対向する第１末端部１０及び第２末端部１２、及びシート様研磨材３が固定される一般的には平底面１４を有する。用語「シート様研磨材」は、研磨ブロックに付着することのできる個別の末端部を有する、薄く、可撓性であり、一般的には正方形又は矩形の研磨シートを表す。かかるシート様研磨材には、例えば、従来の紙やすりであって、可撓性の研磨スクリムである、ミネソタ州セントポール（St. Paul）の３Ｍ社（3M Company）から入手可能なスコッチ−ブライト（Scotch-brite）（商標）のような不織布研磨材、及び米国特許第６，６１３，１１３号（ミニック（Minick）他）に記載されるもののような薄型の可撓性研磨シート材料が挙げられ、これらの全内容は参照によって本明細書に組み込まれる。工具はまた、チリ除去粘着クロスのような非研磨シート様材料における使用でも見ることができる。しかしながら、用語「シート様研磨材」は、一般的に動力研磨工具において使用される研磨材のいわゆるエンドレスベルト、パワーディテール研磨工具において一般的になされるように特定の研磨工具の寸法及び形状に合うように事前に切断されて販売されるダイカットシート、又は接着剤若しくはフックアンドループ型ファスナーのようなかかる研磨物品を工具に接着することを可能とする自らの接着手段を有する研磨シートは含まない。
【００１９】
基板部材４の各末端部１０、１２は、底面１４に対向する傾斜又は角度のある接触面１６、１８をそれぞれ有する。本方法において、接触面１６、１８及び底面１４は、それぞれに付随する隣接末端部１０、１２に対して鋭角を形成する。図で示される実施形態において、接触面１６、１８は、複数の間隔の空いたリブ１６ａ、１８ａの露出した上面によって形成される。間隔を空けたリブ１６ａ、１８ａを提供することで、研磨材シート３と付随する接触表面１６、１８との間の接触表面領域が減り（連続表面と比較して）、それによって、研磨材シート３を接触表面１６、１８に沿って上方にスライドし、より容易に研磨材シート３を引き伸ばすことを可能にする。加えて、傾斜接触面１６、１８は、どれだけの距離をユーザーが研磨シート３の末端部を工具の末端部に挿入することができるかを調整する、接合面又は停止部（図示せず）を任意に備えて良い。或いは、取り付けの際に、研磨材シートの末端部をどの程度工具に挿入するべきかを判別する視覚的な表示手段を備え得る。これによって、ユーザーが研磨材３の第１末端部を工具に挿入する際に、工具のもう一方の末端部へ挿入するのに十分な量の研磨材が残るようになる。
【００２０】
各クランプ機構６、８は、接触表面１６、１８に隣接する基板部材４の対向する末端部１０、１２にそれぞれ枢動可能に連結し、それによって、シート様研磨材３の末端部３ａ、３ｂ（図３）が挿入され得るつかみ具を形成する。各クランプ機構６、８は開放位置（図３に示す）と閉鎖位置（図１に示す）との間を移動可能である。開放位置において、クランプ機構６、８は付随する接触面１６、１８から間隔を空けられることで、基板部材４接触面１６、１８とクランプ機構６、８との間に間隙２０を形成する。間隙２０は、典型的には１０ミリメートル（ｍｍ）未満、より典型的には約０．１ｍｍ〜約８ｍｍ、さらにより典型的には約０．５ｍｍ〜約５ｍｍの厚さを有するシート様研磨材３の末端部３ａ、３ｂを受け入れられる大きさである。閉鎖位置において、クランプ機構６、８はそれぞれに付随する接触面１６、１８に向かって動き、研磨材がない場合には接触面１６、１８にそれぞれ隣接するように配置される。
【００２１】
各クランプ機構６、８は、基板部材４に枢動可能に連結される枢動部材２１、２３、及び付随する接触面１６、１８に面するように枢動部材２１、２３の下側に配置される可撓性テンション部材２２、２４を備える。このように配置することで、クランプ機構６、８は研磨材３を工具２に固定するために基板部材４に向かって下げられ、テンション部材２２、２４の末端縁部が接触面１６、１８に摺動可能に係合する。したがって、研磨シート３の末端部３ａ、３ｂが基板部材４とクランプ機構６、８との間の間隙２０に挿入され、クランプ機構が開放位置から閉鎖位置に動く際、テンション部材２２、２４の縁部が研磨材３の末端部３ａ、３ｂに摩擦で嵌合する。
【００２２】
クランプ機構６、８がさらに接触面１６、１８に向かって動かされると、テンション部材２２、２４は研磨シート３ａ、３ｂの端部を掴んでそれを傾斜接触面１６、１８に沿って、付随する末端部１０、１２から離れるように上方に動かし、それによって研磨材シートを間隙２０内部に延伸する。加えて、クランプ機構６、８が接触面１６、１８と反対方向に動かされると、撓んだテンション部材２２、２４の表面が接触表面１６、１８と係合するようにテンション部材２２、２４は撓む又は曲がる傾向があり、それによって、テンション部材２２、２４及び研磨材シート３との間の全接触表面領域が増加する。このようにして、研磨シート３におけるたるみが引き上げられ、基板部材４の底部１４に対する研磨シート３の密着を強める。
【００２３】
例示的な実施形態において、テンション部材２２、２４はリーフスプリングのような薄い可撓性の金属片であって、加えられた力が開放される際に一般的にそれ自体の元の配置に戻る。固い弾性ゴム又は合成プラスチック材料のような他の材料も使用され得る。テンション部材２２、２４から研磨シート３ａ、３ｂの末端部に加えられる力を均等に分配するには（工具への研磨シート３の取り付けの間及び研磨シートが工具に保持されている間の）、テンション部材２２、２４は、好ましくはクランプ機構６、８の全幅を実質的に被うように連続的に伸長する。このように力を分配することで、テンション部材２２、２４が研磨シート材３を破断又は研磨シート材３に他の損傷をもたらす傾向が削減する。
【００２４】
テンション部材２２、２４の末端部が研磨シート３に押し込まれることで、場合によってはシートが損傷する可能性をさらに下げるために、他の実施形態において、テンション部材２２、２４は、テンション部材２２、２４が接触面１６、１８に面する湾曲面を有し、クランプ機構２２、２４が閉鎖されている際に接触面と嵌合するように内部に湾曲するか又は撓むことが可能である。
【００２５】
テンション部材２２、２４の保持及び維持能力を向上するために、各テンション部材２２、２４は任意で波型の末端縁部２２ａ、２４ａを備える。本発明に関連し、末端縁部においては他の形状が考えられる。例えば、末端縁部は、鋸歯状、刻み目状、又は隆線状であって良い。加えて、テンション部材２２、２４は、荒い又は起伏のある表面により適応するように個別に曲がり得る分離した可撓性の指状突起と共に形成され得る。可撓性指状突起も成形された末端縁部を備えることが可能である。
【００２６】
テンション部材２２、２４と研磨シート３との間の摩擦抵抗を増加し、それによってテンション部材２２、２４が研磨シート３と堅固に噛み合い、保持する（及び従って、研磨シート３が工具に取り付けられる際、及び研磨シートが工具２に取り付けられた後の使用中の双方において確実に研磨シート３を保持する）能力を向上するために、テンション部材２２、２４は任意でつかみ面３０、３２を備えることが可能である。例示的な実施形態において、つかみ面３０、３２は複数の突起を含む。或いは、つかみ面３０、３２は、例えばゴムから形成される滑らかで柔軟性のある表面を備えることも可能である。
【００２７】
クランプ機構６に関して詳細を図５に示すように、工具２は協働突起３４、３６を含む保持手段を備える。より詳細には、クランプ機構６は移動保持突起３４を備え、基板部材４は協働固定停止突起３６を備える。協働突起３４、３６は開放位置又は閉鎖位置のどちらかにクランプ機構６を維持する保持手段を提供する隣接関係をとるように配置される。したがって、クランプ機構６が開放位置に配置される（つまり、付随する接触面１６から間隔が空いている）場合、突起３４は協働基板部材突起３６に対して反時計方向に下向きに配置される。クランプ機構６が付随する接触面１６に向かって下向きに回転すると、突起３４が回転し、基板部材４に固定されている協働基板部材突起３６に隣接する。
【００２８】
クランプ機構６はさらに付随する接触表面１６に向かって下向きに動かされ、クランプ機構６突起３４は基板部材突起３６に対して時計方向に上になるように配置されるまで基板部材突起３６を超えるように力が加えられる。これが起こる事で、クランプ機構６は開放位置から接触表面１６に隣接する閉鎖位置にはめ込まれる。一旦閉鎖位置になると、クランプ機構６が開放位置になるように上に向かって力が加えられ、クランプ機構突起３４が再び基板部材突起３６に対して下になるよう反時計方向に配置されるまで、突起３４、３６はクランプ機構６を閉鎖位置に維持する傾向がある。
【００２９】
突起３４、３６は、使い古した研磨材シートを工具２から取り除き新しいシートに交換する度に、迅速且つ容易に、クランプ機構６、８が繰り返し開放され安定して閉鎖されるのを可能にする。加えて、独立して作動するクランプ機構６、８を有する工具２を提供することで、研磨材シート３の末端部３ａ、３ｂは、一度に１つの末端部を別々に工具２に載置することができる。つまり、現在入手可能な研磨ブロックと比較すると、ユーザーは研磨シートの両末端を同時に工具に挿入し、次に、研磨シートの末端部を同時に工具に締め付ける必要がない。
【００３０】
図２を参照すると、基板部材４とクランプ機構６、８との間に枢動連結を提供するために、基板部材４は、固定部材６、８上に提供される突出部４２を回転可能に受け入れる貫通孔４０を含む隆起した付着手段３８を備える。突出部４２は、貫通孔４０にスナップ嵌めできる大きさであり、工具２に迅速且つ容易に適応することを可能とする。基板部材４に対する保持部材６、８の一般的に永続的な付着性を提供するために、付着部材３８は角度のついた溝４４を含み、この溝４４は、突出部４２が容易に溝４４に押されて貫通孔４０と噛み合う関係にするが、突出部４２を貫通孔４０から外されたり、離れたりしにくくする。他のスナップ嵌め接続を用いて固定部材６、８を基板部材４に付着しても良いことが認められるだろう。例えば、隆起した支持部材が整列した通路を有しても良く、保持部材が整列した通路とスナップ嵌めで回転可能に噛み合う関係となるように構成されるシャフトを備えても良い。加えて、基板部材４と固定部材６、８との間の枢動関係において単一部品構成を有しても良い工具は、リビングヒンジによって提供される。
【００３１】
工具２はハンドル４６も備える。例示的な実施形態において、ハンドル４６は基板部材４の中央領域から上方に伸長する首部分４６ａを備え、工具２の動きを操作及び調整するためにユーザーが容易に握ることのできる取っ手４８を形成する首４６ａの末端部に載置される拡大した頭部４６ｂを備える。ユーザーにより心地よい握りを提供するために、ハンドル４６の取っ手４８部分は、好ましくは比較的硬質な第１材料から形成される内側領域４８ａ、及びより握りやすい比較的軟質なゴム様第２材料から形成される周辺領域４８ｂを含み、それによってユーザーの操作性を向上する。第１の比較的硬質な材料は、例えば硬質合成プラスチックであって良く、比較的軟質な第２材料は、例えば熱可塑性エラストマー、ゴム、ゴム様材料、又は発泡体であって良い。
【００３２】
操作が容易で使用中に傾きにくい薄型の工具２を作成するために、基板部材４は凹型上面５０を有する。凹型表面５０は、基板部材４の上部及び取っ手４８の下部にユーザーの指のために付加的な空間を提供する。
【００３３】
基板部材４、クランプ機構６、８及びハンドル４６を備える工具２は、例えば、木材、金属、合成プラスチック、又は硬質ゴムから成る任意の好適な材料によって形成され得る。
【００３４】
発明の概念から逸脱することなく上述される発明の様々な変更や修正ができることは、当業者には理解されよう。例えば、工具の寸法は、商業的に入手可能な研磨シートにおける様々な標準的なサイズと共に使用できるように適応され得ることが認められる。このように、本発明の範囲を本願出願に記載の構造に限定すべきではなく、特許請求の範囲の文言によって記載の構造物およびそれらの同等物によってのみ限定されるものである。
【００３５】
本発明は、以下の添付図面を参照することでさらに説明される。
【図面の簡単な説明】
【００３６】
【図１】本発明による手持ち式手動操作型の研磨工具の斜視図である。
【図２】図１の研磨工具の分解図である。
【図３】開放位置にあるクランプ機構を備える図１の研磨工具の斜視図である。
【図４】一端に研磨材シートが取り付けられた図１の研磨工具の側面図である。
【図５】基板部材とクランプ機構との間の保持手段を示す詳細な断面図である。
【図１】
2008539095.tif 000003
【図２】
2008539095.tif 000004
【図３】
2008539095.tif 000005
【図４】
2008539095.tif 000006
【図５】
2008539095.tif 000007
【国際調査報告】
2008539095.tif 000008
2008539095.tif 000009